(57)【要約】      （修正有）【課題】操作レバー解放機構の電子装置を提供する。【解決手段】主に第１シャシー１０、第２シャシー２０、摺動部材４０、操作レバー３０、およびバネ５０より構成する。そのうち、第１シャシー１０に開口部１１を設け、第２シャシー２０に第１取付け部２１を設ける。摺動部材４０を第１シャシー１０に設け、摺動部材４０に第２取付け部４１を設け、第２シャシー２０を第１シャシー１０の開口部１１に挿入した後、摺動部材４０を押すことにより、摺動部材４０を摺動させ、第２シャシー２０を第１シャシー１０に噛み合わせる。操作レバー３０はシャシーに旋軸接続する。バネ５０の両端は第１シャシー１０と摺動部材４０にそれぞれ取り付ける。この構造により、片手により操作レバー３０を回転するか、または第１シャシー１０を押すことにより、第１シャシー１０および第２シャシー２０の分離、あるいは固定が行える。【選択図】図１
2007243130.tif 000002
【特許請求の範囲】
【請求項１】
第１シャシー、第２シャシー、摺動部材、操作レバー及びバネを含み、
第１シャシーは一つ以上の開口部を設け、
第２シャシーは第１取付け部を設け、
摺動部材は該第１シャシーに設け、該摺動部材は一つ以上の第２シャシー該第１取付け部に備えるノックアウト部は該開口部に挿入し、該摺動部材を第１方向に押すことにより、第１位置に来たとき、該第１取付け部のフックは該開口部に挿入し、
操作レバーは該第１シャシーに枢接し、該操作レバーを第２位置に回したとき、該操作レバーは該第１方向に移動し、該フックを該開口部から引き離し、
バネの両端は該第１シャシーおよび該摺動部材に設け、該バネは摺動部材を第２方向に移動させる引っ張り力量を加わることを特徴とする一種の操作レバー解放機構の電子装置。
【請求項２】
該操作レバーはさらに、第１接触部を設け、該摺動部材はさらに、第２接触部を設け、該第１接触部と該第２接触部を接触するほか、該第１接触部は該バネ、該第２接触部の間に設けることを特徴とする請求項１記載の操作レバー解放機構の電子装置。
【請求項３】
音該摺動部材は引っ張り力量により、該第２方向に移動したとき、該第１接触部は該摺動部材を第３位置に制限することを特徴とする請求項２記載の操作レバー解放機構の電子装置。
【請求項４】
該摺動部材は第３位置に来たとき、該操作レバーは該第２シャシーにくっつけることを特徴とする請求項３記載の操作レバー解放機構の電子装置。
【請求項５】
該操作レバーは第２位置に来たとき、該第１接触部は該第２接触部に係止めて、該第１接触部は該摺動部材を押すことを特徴とする請求項２記載の操作レバー解放機構の電子装置。
【請求項６】
該操作レバーの第１接触部は係止め棒を設け、該摺動部材に備える第２接触部はストッパーであることを特徴とする請求項２記載の操作レバー解放機構の電子装置。
【請求項７】
該操作レバーはさらに、第３接触部を設け、該第２シャシーはさらに第４接触部を設け、該第４接触部は該第３接触部と協働することを特徴とする請求項１記載の操作レバー解放機構の電子装置。
【請求項８】
該操作レバーに備える第３接触部は円弧片であり、該第２シャシーに備える第４接触部は握り棒であり、該操作レバーを回転したとき、該第３接触部は該第４接触部に接触することを特徴とする請求項７記載の操作レバー解放機構の電子装置。
【請求項９】
該第１シャシーはさらに、一つ以上の滑り溝を設け、該摺動部材を該滑り溝に摺動することを特徴とする請求項１記載の操作レバー解放機構の電子装置。
【請求項１０】
該第２取付け部は溝孔であることを特徴とする請求項１記載の操作レバー解放機構の電子装置。
【発明の詳細な説明】
【技術分野】
【０００１】
本発明は一種の操作レバー解放機構の電子装置、特にシャシーに取り付けた操作レバーにより、コンピュータ主機の解放機構に関わるものである。
【背景技術】
【０００２】
現在市販中のデスクトップコンピュータの主機は、ケース、マザーボード、中央演算処理装置、記憶装置、ハードディスク、ＣＤ−ＲＯＭドライブ、電源供給装置などの主要部品より構成し、ケースに上蓋と台を設ける。そのうち、マザーボード、中央演算処理装置、記憶装置、ハードディスク、ＣＤ−ＲＯＭドライブ、電源供給装置などの主要部品は、台に取り付けた後、上蓋を台に被せて、コンピュータ主機の完成品を仕上げる。
【０００３】
公知技術のコンピュータ主機の台、上蓋、ケースなどは、ネジ、ナット、または雌ネジ山による固定がほとんどである。しかしながら、利用者またはサービス員はハードディスクなど部品の追加、または主機の故障で修理が必要なとき、ドライバーを用いてネジを取り外してから上蓋を外して行う。そして、組み立てまたは保守の後は、ふたたびドライバーを用いてネジを締め付けた後に、上蓋を台に固定しなければならない。このように、ケースの取り外しと組み立てに長い時間を要する。さらに、ネジは数回の取り外しおよび締めつけにより、ネジの頭部とドライバーに滑りを引き起してしまい、締めつけをうまくできないか、台と上蓋を分離することが難しい。よって、公知技術のコンピュータケースのネジ、ナット、または雌ネジ山による固定方式は、理想とは言えない。
【０００４】
このほか、一部のコンピュータ主機の台と上蓋はフック、挿入溝に押しボタンとの組み合わせによる。しかしながら、フック、挿入溝の噛み合わせがきつすぎるため、利用者またはサービス員は台もしくは上蓋の滑らかに加工された表面に備える押しボタンに力が届きにくいため、大きい力量を加えて、台と上蓋の分離に強いられる。さらに、フック、挿入溝のゆるむにより、台と上蓋が突然に外れていまい。よって、フックと挿入溝と押しボタンによる台と上蓋の固定方式は理想とは言えない。
【０００５】
本発明者は発明の精神に基づいて、一種の前記した問題を解消できる省力化解放機構の研究を着手し、実験を繰り返した結果、利用者に便利性を与えることのできる本発明を発明した。
【発明の開示】
【発明が解決しようとする課題】
【０００６】
本発明は一種の操作レバー解放機構の電子装置に関わるものである。主に第１シャシー、第２シャシー、摺動部材、操作レバー、およびバネより構成する。そのうち、第１シャシーに一つ以上の開口部を設け、第２シャシーに一つ以上の第１取付け部を設ける。摺動部材を第１シャシーに設け、摺動部材に第２取付け部を設け、第２シャシーに備える第１取付け部のノックアウト部を第１シャシーの開口部に挿入した後、摺動部材の第２取付け部を押すことにより、摺動部材を第１方向摺動させ、第１位置に摺動したとき、第２シャシーに備える第１取付け部は、第１シャシーの開口部に噛み合わせる。操作レバーは第１シャシーに旋軸接続し、操作レバーを第２位置に回したとき、操作レバーは摺動部材を第１方向に押すことにより、第１取付け部のフックを第１シャシーの開口部を抜け出す。バネの両端は第１シャシーと摺動部材にそれぞれ取り付け、バネは摺動部材に第２方向への引っ張り力量を加わる。
【０００７】
本発明の第１シャシー、第２シャシーの固定方式は、ネジなし設計により、片手により操作レバーを回転するか、または第１シャシーを内側に押すことにより、分離するか、あるいは第１シャシーと第２シャシーを固定できる。操作レバーはてこの働きにより、回して第１シャシーと第２シャシーを分離するときに、省力化効果を有する。
【０００８】
このほか、前記した操作レバーはさらに、第１接触部を設けても良い。摺動部材に第２接触部を設け、第１接触部を第２接触部に接触しておく、第１接触部はバネと第２接触部との間に設ける。バネの引っ張り力量により、摺動部材を第２方向へ移動させたとき、第１接触部は摺動部材を第３位置に制限し、操作レバーを第２シャシーにくっつける。圧縮バネの引っ張り力量、と第１接触部の係止め効果により、摺動部材を第３位置に制限し、操作レバーを第２シャシーにくっつける。
【０００９】
さらに、前記した操作レバーを第２位置に回したとき、操作レバーの第１接触部は、摺動部材の第２接触部を係止めて、第１接触部は摺動部材を押して、第１方向に移動させる。そのうち、操作レバーの第１接触部は係止め棒、またはその他等効果の機構を設ける。摺動部材の第２接触部は、ストッパー、またはその他等効果の機構を設ける。てこの働きにより、わずかの力量を加えて、操作レバーを回して、バネのトルクを抑えて、摺動部材を第１方向に移動させる力量を発生させる。
【００１０】
前記した操作レバーはさらに、第３接触部を設け、第２シャシーに第４接触部を設け、第４接触部は第３接触部と協働する。第３接触部は円弧片、またはその他等効果の機構を設ける。第４接触部は握り棒、またはその他等効果の機構を設けておく、操作レバーを回したとき、第２シャシーは回転により、外側に押し出されて、第１シャシーと分離する。
【００１１】
前記した第１シャシーはさらに、滑り溝を設け、摺動部材は摺動できるように、滑り溝に設けて、摺動部材が滑り溝での摺動を確保し、偏りまたは滑り溝より離脱することがない。
【００１２】
前記した第１シャシーの開口部は溝孔を設けるか、またはその他等効果の機構を設ける。摺動部材の第２取付け部は、溝孔を設けるか、またはその他等効果の機構を設ける。溝孔と第１シャシーに備える第１取付け部のノックアウト部、フックの協働により、第２シャシーはノックアウト部を介して、溝孔より摺動部材を押すか、または第２シャシーはフックと溝孔との噛み合わせにより、第１シャシーと第２シャシーを固定する。
【課題を解決するための手段】
【００１３】
請求項１の発明は、第１シャシー、第２シャシー、摺動部材、操作レバー及びバネを含み、
第１シャシーは一つ以上の開口部を設け、
第２シャシーは第１取付け部を設け、
摺動部材は該第１シャシーに設け、該摺動部材は一つ以上の第２シャシー該第１取付け部に備えるノックアウト部は該開口部に挿入し、該摺動部材を第１方向に押すことにより、第１位置に来たとき、該第１取付け部のフックは該開口部に挿入し、
操作レバーは該第１シャシーに枢接し、該操作レバーを第２位置に回したとき、該操作レバーは該第１方向に移動し、該フックを該開口部から引き離し、
バネの両端は該第１シャシーおよび該摺動部材に設け、該バネは摺動部材を第２方向に移動させる引っ張り力量を加わることを特徴とする一種の操作レバー解放機構の電子装置としている。
請求項２の発明は、該操作レバーはさらに、第１接触部を設け、該摺動部材はさらに、第２接触部を設け、該第１接触部と該第２接触部を接触するほか、該第１接触部は該バネ、該第２接触部の間に設けることを特徴とする請求項１記載の操作レバー解放機構の電子装置としている。
請求項３の発明は、音該摺動部材は引っ張り力量により、該第２方向に移動したとき、該第１接触部は該摺動部材を第３位置に制限することを特徴とする請求項２記載の操作レバー解放機構の電子装置としている。
請求項４の発明は、該摺動部材は第３位置に来たとき、該操作レバーは該第２シャシーにくっつけることを特徴とする請求項３記載の操作レバー解放機構の電子装置としている。
請求項５の発明は、該操作レバーは第２位置に来たとき、該第１接触部は該第２接触部に係止めて、該第１接触部は該摺動部材を押すことを特徴とする請求項２記載の操作レバー解放機構の電子装置としている。
請求項６の発明は、該操作レバーの第１接触部は係止め棒を設け、該摺動部材に備える第２接触部はストッパーであることを特徴とする請求項２記載の操作レバー解放機構の電子装置としている。
請求項７の発明は、該操作レバーはさらに、第３接触部を設け、該第２シャシーはさらに第４接触部を設け、該第４接触部は該第３接触部と協働することを特徴とする請求項１記載の操作レバー解放機構の電子装置としている。
請求項８の発明は、該操作レバーに備える第３接触部は円弧片であり、該第２シャシーに備える第４接触部は握り棒であり、該操作レバーを回転したとき、該第３接触部は該第４接触部に接触することを特徴とする請求項７記載の操作レバー解放機構の電子装置としている。
請求項９の発明は、該第１シャシーはさらに、一つ以上の滑り溝を設け、該摺動部材を該滑り溝に摺動することを特徴とする請求項１記載の操作レバー解放機構の電子装置としている。
請求項１０の発明は、該第２取付け部は溝孔であることを特徴とする請求項１記載の操作レバー解放機構の電子装置としている。
【発明の効果】
【００１４】
本発明は操作レバー解放機構の電子装置。片手により操作レバーを回転するか、または第１シャシーを押すことにより、第１シャシーおよび第２シャシーの分離、あるいは固定が行える。なお、操作レバーはてこの働きにより、回転するときに省力の効果を実現できる。
【発明を実施するための最良の形態】
【００１５】
図１と図２に示すものは、本発明の一つの実施例における分解図と立面図である。本実施例において、主に第１シャシー１０、第２シャシー２０、摺動部材４０、操作レバー３０、およびバネ５０より構成する。
【００１６】
図１に示すとおり、第１シャシー１０に二つの開口部１１、４つの滑り溝１４、及び第１固定部１３を設ける。そのうち、４つの滑り溝１４は、上下各二つの滑り溝４を交叉して、第１シャシー１０に設ける。第１固定部１３は第１シャシー１０の側面に設け、第１固定部１３はバネ５０の一端により掛かり合う。
【００１７】
このほか、前記した第２シャシー２０は第１固定部２１と第４接触部２２を設ける。そのうち、第１固定部２１は第１シャシー１０の開口部１１に取付けて、第１固定部２１それぞれノックアウト部２１１、フック２１２を設け、ノックアウト部２１１は第１シャシー１０の開口部１１に設け、フック２１２は第１シャシー１０の開口部１１に設ける。
【００１８】
図１に示すとおり、前記した摺動部材４０は第１シャシー１０に備える４つの滑り溝１４の間に設ける。交叉して設ける滑り溝１４は、摺動部材４０が滑り溝１４において、スムーズな移動を確保し、偏りまたは滑り溝１４より離脱することがない。摺動部材４０はさらに、第２取付け部４１、第２固定部３、および第２接触部４２を設ける。そのうち、二つの第２取付け部４１は第１シャシー１０に備える開口部１１に対応して設ける。第２固定部４３は摺動部材４０の中央付近場所に設け、バネ５０を掛かり合う。
【００１９】
さらに、図１に示すとおり、操作レバー３０は第１シャシー１０に旋軸接続し、操作レバー３０に第１接触部３１、および第３接触部３２を設ける。そのうち、第１接触部３１は操作レバー３０の一端、バネ５０、第２接触部４２の間に設ける。第３接触部３２は第２シャシー２０の第４接触部２２に対応した場所に設ける。このほか、バネ５０の両端は、第１シャシー１０の第１固定部１３、および摺動部材４０に備える第２固定部４３にそれぞれ設ける。
【００２０】
図２と図３に示すものは、本発明の一つの実施例におけるもう一つ角度の立面図である。図３に示すとおり、本実施例の第１シャシー１０は、コンピュータ主機の台１００を設け、第２シャシー２０はコンピュータ主機の上蓋２００を設ける。
【００２１】
図１に示すとおり、本実施例において、操作レバー３０の第１接触部３１は係止め棒３１０を設け、摺動部材４０の第２接触部４２はストッパー４２０を設ける。操作レバー３０に備える第３接触部３２は円弧片３２０を設け、第２シャシー２０の第４接触部２２は握り棒２２０を設ける。第１シャシー１０の開口部１１は溝孔１１０を設け、摺動部材４０の第２取付け部４１も溝孔４１０を設ける。
【００２２】
本実施例の操作動作図は、図４から図７に示すとおりである。図４に示すものは、本実施例の第１シャシー１０、第２シャシー２０を噛み合わせていない状態の頂面図であり、図１と併せて参照する。図１と図４に示すとおり、このとき、第２シャシー２０に備える第１取付け部２１のフック２１２は第１シャシー１０の開口部１に挿入する前、かつ、バネ５０は摺動部材４０に対して、バネ５０の第２方向Ｄ２に移動させる引っ張り力量を加える。このとき、操作レバー３０に備える第１接触部３１は、摺動部材４０の第２接触部４２を押していない。
【００２３】
引き続き、図５に示すものは、本実施例の第１シャシー１０、第２シャシー２０を噛み合わせていない状態の頂面図であり、図１と併せて参照する。図１と図５に示すとおり、第２シャシー２０に備える第１取付け部２１のノックアウト部２１１を第１シャシー１０の開口部１１に挿入する。ノックアウト部２１１は摺動部材件４０の第２取付け部４１を押すことにより摺動部材４０をバネ５０から離れた第１方向Ｄ１に移動させ、摺動部材４０が第１位置に摺動したとき、第２シャシー２０に備える第１取付け部２１のフック２１２は、第１シャシー１０開口部１１の位置に挿入したとき、第１シャシー１０、および第２シャシー２０は噛み合わせにより、互いに固定される。バネ５０は摺動部材４０に対して、バネ５０の第２方向Ｄ２に移動させるトルクを加わる。操作レバー３０の第１接触部３１は摺動部材４０の第２接触部４２を係止めることにより、摺動部材４０がバネ５０のトルクにより、第２方向Ｄ２への継続移動を係止めるほか、摺動部材４０を第３位置(図５)に制限する。このとき、バネ５０にわずかな伸長力量を有し、操作レバー３０は第２シャシー２０の位置にくっつける。
【００２４】
引き続き、図６に示すものは、本実施例の第１シャシー１０、第２シャシー２０を分離するときの頂面図であり、図１と併せて参照する。図１、図６に示すとおり、操作レバー３０を第２位置の角度(図６)に回したとき、すなわち、操作レバー３０の第１接触部３１は摺動部材４０の第２接触部４２に係止めるとき、操作レバー３０は摺動部材４０をバネ５０から離れた第２方向Ｄ１に移動させ、摺動部材４０を第１位置、すなわち、第２シャシー２０に備える第１取付け部２１のフック２１２は、第１シャシー１０の開口部１１を引き離す位置に移動したとき、操作レバー３０の第３接触部３２は第２シャシー２０に備える第４接触部２２と接触していない。このとき、バネ５０の伸長度は図５に示す第１シャシー１０、および第２シャシー２０が噛み合わせたとき(摺動部材４０は第３位置にある)のバネ５０の伸長度より長い。
【００２５】
引き続き、図７に示すものは、本実施例の第１シャシー１０、第２シャシー２０を分離するときの頂面図であり、図１と併せて参照する。図１と図７に示すとおり、操作レバー３０の回転角度は第２位置の角度より大きいとき(図７)、操作レバー３０の第３接触部３２はすでに、第２シャシー２０の第４接触部２２に接触する。一方、第２シャシー２０に備える第１取付け部２１２のフック２１２は、操作レバー３０を第２位置の角度に回転したとき(図６)は、第１シャシー１０の開口部１１と引き離す。よって、操作レバー３０の第３接触部３２により、第２シャシー２０の第４接触部２２を押すことにより、第２シャシー２０と第１シャシー１０を分離させる。
【００２６】
本発明の第１シャシー、第２シャシーの固定方式は、ネジなし設計により、片手により操作レバーを回転するか、または第１シャシーを内側に押すことにより、分離するか、あるいは第１シャシーと第２シャシーを固定できる。操作レバーはてこの働きにより、回して第１シャシーと第２シャシーを分離するときに、省力化効果を有する。
【図面の簡単な説明】
【００２７】
【図１】本発明の一つの好ましい実施例の分解図である。
【図２】本発明の一つの好ましい実施例の立体図である。
【図３】本発明の一つの好ましい実施例の他の視角による立体図である。
【図４】本発明の一つの好ましい実施例における第１シャシー、第２シャシーを噛み合わせていない状態の頂面図である。
【図５】本発明の一つの好ましい実施例における第１シャシー、第２シャシーを噛み合わせるときの頂面図である。
【図６】本発明の一つの好ましい実施例における第１シャシー、第２シャシーを分解するときの頂面図である。
【図７】本発明の一つの好ましい実施例における第１シャシー、第２シャシーを分解するときの頂面図である。
【符号の説明】
【００２８】
１０  第１シャシー
１００  台
１１  開口部
１１０  溝孔
１３  第１固定部
１４  滑り溝
２０  第２シャシー
２００  上蓋
２１  第１取付け部
２１１  ノックアウト部
２１２  フック
２２  第４接触部
２２０  握り棒
３０  操作レバー
３１  第１接触部
３１０  係止め棒
３２  第３接触部
３２０  円弧片
４０  摺動部材
４１  第２取付け部
４１０  溝孔
４２  第２接触部
４２０  ストッパー
４３  第２固定部
５０  ばね
Ｄ１  第１方向
Ｄ２  第２方向
【図１】
2007243130.tif 000003
【図２】
2007243130.tif 000004
【図３】
2007243130.tif 000005
【図４】
2007243130.tif 000006
【図５】
2007243130.tif 000007
【図６】
2007243130.tif 000008
【図７】
2007243130.tif 000009